(57)【特許請求の範囲】
【請求項１】
口頸部を起立する容器体の胴部内に仕切り部材を上昇可能かつ気密に嵌合するとともに、仕切り部材上方の胴部分内に収納した内容物を、上記口頸部に取り付けたポンプで外部に注出するに伴って、仕切り部材が上昇するように設けた注出容器において、
上記口頸部(7)から仕切り部材(20)上方の胴部分内へ内容物を充填した内袋(30)を垂設し、内袋(30)の外面と容器体の胴部(4)内面及び仕切り部材(20)上面との間の空間を外部から気密に遮断し、かつ上記仕切り部材(20)の上面に上記内袋(30)の下端面を接着することにより、内容物の注出による負圧化で内袋(30)が上下方向へ収縮するとともに仕切り部材(20)を引き上げるように構成したことを特徴とする、注出容器。
【請求項２】
上記仕切り部材(20)の上面に、少なくとも上記内袋(30)の下端面周縁部を接着したことを特徴とする、請求項１記載の注出容器
【請求項３】
容器体の胴部(4)上部から口頸部(7)下端に亘る部分に内袋(30)の上面との当接部(10)を設けたことを特徴とする、請求項１又は請求項２記載の注出容器。
【請求項４】
下半部に内袋(30)の頸部が嵌着された接続筒(40)を、その接続筒(40)の上半部を上記口頸部(7)の内面に嵌着させて垂下し、この接続筒下端と上記当接部(10)下端面とをほぼ同じ高さとしたことを特徴とする請求項３記載の注出容器。
【請求項５】
内袋(30)と仕切り部材(20)との境界(Ｐ１)が明瞭となるように、内袋(30)の色彩を、仕切り部材(20)及び当接部(10)と異なる色とし、更に上記容器体(2)の少なくとも胴部(4)を、上記境界(Ｐ１)を視認可能な透明に形成したことを特徴とする、請求項３又は請求項４記載の注出容器。
【発明の詳細な説明】
【技術分野】
【０００１】
本発明は、注出容器、特に液体の注出容器に関する。
【背景技術】
【０００２】
従来から、内容物を残らず取り出すために、口頸部内に内装したポンプで、口頸部下端より垂設した柔軟な液体充填用内袋内から、或いは容器体胴部内に上昇可能に嵌合した仕切り部材の上方の胴部分内から外部へ液体を注出するように設けた容器が知られている（特許文献１、特許文献２）。
【０００３】
又、後者の容器において、内容物の残量を表示するために、容器体の胴部とこの胴部に外嵌させた透明な外装筒との間に挿入した表示板の下端を仕切り部材下面へ連結帯を介して連繋し、この仕切り部材の上昇により上記残量に応じて表示板が下降するように構成した容器も知られている（特許文献３）。
【特許文献１】特開平05−139471号
【特許文献２】実用新案登録第2595246号
【特許文献３】特開2002−362659号
【発明の開示】
【発明が解決しようとする課題】
【０００４】
内容物の取り出し易さという点に関しては、特許文献１の容器は、内袋が不規則に折れ曲がりながら全体として略縦棒状に潰れていくため、その折目次第で液体の注出の具合にばらつきを生じ易く、袋の隅部にある液体を吸い上げることが困難となる場合があった。
【０００５】
内容物の残量表示という点に関しては、特許文献２の容器では、容器体の胴部を透明とすれば仕切り部材の上昇の具合で残量が判るが、内容物に外部からの光が当たることになり、遮光性を要する内容物には使用できない。この点を考慮して、特許文献３の容器では、容器体の胴部と外装筒との間に表示板を挿入するとともに、この表示板を仕切り部材を連繋しているが、これでは容器の構造が複雑になり、その組立作業が困難となる。
【０００６】
そこで本発明は、内容物を収納した内袋を仕切り部材の上昇により上下方向へ均等に圧縮されるように設けることで、内容物を無駄なく確実に注出することができるとともに、内容物の残量を表示でき、かつ組立が容易な注出容器を提供することを目的とする。
【課題を解決するための手段】
【０００７】
第１の手段は、
口頸部を起立する容器体の胴部内に仕切り部材を上昇可能かつ気密に嵌合するとともに、仕切り部材上方の胴部分内に収納した内容物を、上記口頸部に取り付けたポンプで外部に注出するに伴って、仕切り部材が上昇するように設けた注出容器において、
上記口頸部７から仕切り部材20上方の胴部分内へ内容物を充填した内袋30を垂設し、内袋30の外面と容器体の胴部4内面及び仕切り部材20上面との間の空間を外部から気密に遮断し、かつ上記仕切り部材20の上面に上記内袋30の下端面を接着することにより、内容物の注出による負圧化で内袋30が上下方向へ収縮するとともに仕切り部材20を引き上げるように構成した。
【０００８】
上記の如くポンプで内袋内の内容物を注出すると、その内袋は潰れるように収縮していくが、その潰れ方は場合によってさまざまである。例えば上下方向に長い内袋では袋の下端部に内容物を残したまま上下方向の中間部が括れるように潰れた可能性があり、この場合には下端部に残された内容物を吸引しにくい。何故ならば吸引するほど中間部が余計に潰れることとなり、下端部からの内容物の通り道を狭くすることになるからである。本手段では、容器体の胴部内に仕切り部材を嵌合することで、内袋が収縮していくときに、内袋と容器体胴部及び仕切り部材との間が負圧化し、この負圧化により仕切り部材が上昇することで内袋が上下方向に収縮するように補助するように設けている。
【０００９】
「内袋」は、内容物を充填するための袋であり、その上端部を口頸部の内面に直接乃至間接に接続して容器体の胴部内に垂設している。内袋の外面と容器体の胴部内面及び仕切り部材上面との間の空間（以下減圧空間という）は、内容物の注出により負圧化するように、外部から気密に遮断されている。また、この空間は、初期状態（内容物を注出する前の状態）での容積をできるだけ小さくするように設計すると良く、これにより上記負圧が大きくなり、仕切り部材の引上げ力が大となる。尚、内袋の下端面は仕切り部材の上面に当接させかつ接着させるものとする。
【００１０】
「仕切り部材」は、上記減圧空間内の負圧化により上昇し、主として内袋下端面を押し上げることで内袋を上下方向に収縮させることを目的とする。内袋の下端面を仕切り部材の上面に接着することにより、減圧空間内の負圧が一定以上となるまでは、収縮した内袋が仕切り部材を引き上げることになる。
【００１１】
第２の手段は、第１の手段を有し、かつ上記仕切り部材20の上面に、少なくとも上記内袋30の下端面周縁部を接着している。
【００１２】
このような構成としたのは、内袋の下端を自由端とすると、内容物の取出しによる収縮の際に内袋が不規則に（例えばくの字状）屈折する可能性があり、そうなると内袋を上下方向に均等に圧縮することが困難となるからである。
【００１３】
第３の手段は、第１の手段又は第２の手段を有し、かつ容器体の胴部４上部から口頸部７下端に亘る部分に内袋30の上面との当接部10を設けている。
【００１４】
本手段では、上記当接部を設けて仕切り部材との間に内袋の周辺部を挟み込むことで内袋を上下方向に圧縮させることができる。
【００１５】
「当接部」は、その下面を平坦な当接面とすることが望ましい。尚、後述の実施形態の如く、上記胴部４上端から口頸部上端に亘る肩部から垂設した垂下板を当接部としても良いが、その肩部自体を当接部としても良い。
【００１６】
第４の手段は、第３の手段を有し、かつ
下半部に内袋30の頸部が嵌着された接続筒40を、その接続筒40の上半部を上記口頸部7の内面に嵌着させて垂下し、この接続筒下端と上記当接部10下端面とをほぼ同じ高さとした。
【００１７】
このような構成とすることで、当接部と仕切り部材との間に挟み込んだ状態での内袋の圧縮比を大きくし、内容物を確実に注出することができ、また容器体を透明とした場合には内袋が上下方向に圧縮して内容物を使い尽くしたことが利用者に一見して判る。内袋は、上下方向に圧縮したときの見た目の圧縮比が大きくなるように、薄く屈折容易な素材（例えばアルミニウム）で形成すると良い。又、上記接続筒はポンプの支持筒とすることができる。
【００１８】
上記接続筒の上部外面或いはこの外面と対面する口頸部内面部分には、内容物を充填する際に内袋と容器体との間からのエアを抜くための通気溝を設けることが望ましい。これについては実施形態の欄で後述する。
【００１９】
第５の手段は、第３の手段又は第４の手段を有し、かつ内袋30と仕切り部材20との境界Ｐ１が明瞭となるように、内袋30の色彩を、仕切り部材20及び当接部10と異なる色とし、更に上記容器体２の少なくとも胴部４を、上記境界Ｐ１を視認可能な透明に形成している。
【００２０】
このような構成とすることで、内容物の残量を表示することができる。尚、仕切り部材及び当接部も、その境界が視認し易いように異なる色とすることができる。
【発明の効果】
【００２１】
第１の手段に係る発明によれば、次の効果を生ずる。
○口頸部から仕切り部材上方の胴部分内へ内袋を垂設したから、仕切り部材20で内袋30を上下方向に均等に圧縮でき、その圧縮が完了するまで内袋30内部の下端部から上端部に亘って連通性を確保することができるので、内袋30の内容物を取り出し易い。
○容器体２の内部に内容物充填用の内袋30を設けたから、内容物が嫌光性のものであっても内袋で遮光材料で形成すれば足り、容器体全体を遮光容器とする必要がない。
【００２２】
また第１の手段に係る発明によれば、仕切り部材20の上面に少なくとも上記内袋30の下端面周縁部を接着したので、内袋の底部を仕切り部材上面に沿って延べ拡げた状態のままで内袋の側壁部分を上下方向に圧縮させることができ、従って内袋の隅部まで残らず内容物を取り出すことができる。
【００２３】
第３の手段に係る発明によれば、容器体の胴部４上部から口頸部７下端に亘る部分に内袋30の上面との当接部10を設けたから、この当接部と仕切り部材の上面との間に内袋の周辺部を挟み込んで内袋30の上下方向の圧縮を確実とすることができる。
【００２４】
第４の手段に係る発明によれば、次の効果を奏する。
○下半部に内袋30の頸部が嵌着された接続筒40を、その接続筒40の上半部を上記口頸部7の内面に嵌着させて垂下し、この接続筒下端と上記当接部10下端面とをほぼ同じ高さとしたから、仕切り部材20を上限位置まで上昇させたときの、初期状態からの内袋30の圧縮比を大とすることができ、内袋内の内容物の残量を低減することができる。
○圧縮完了時の内袋30の圧縮比を大としたから、容器体を透明容器としたときに内袋の潰れ具合により、圧縮が完了した状態（即ち容器を使い切った状態）となったこと、或いはその状態が近づいていることが利用者に良く判る。
【００２５】
第５の手段に係る発明によれば、内袋30と仕切り部材20との境界Ｐ１が明瞭となるように、内袋30の色彩を、仕切り部材20及び当接部10と異なる色とし、更に上記容器体２の少なくとも胴部４を、上記境界Ｐ１を視認可能な透明に形成したから、残量の表示を簡単な構造で確実に行うことができる。
【発明を実施するための最良の形態】
【００２６】
図１及び図２は、本発明の実施形態に係る注出容器を示している。
【００２７】
この注出容器の構成のうちまず公知の部分を簡単に説明すると、この注出容器は、容器体２と、ポンプ12と、押下げヘッド18と、仕切り部材20とを具備している。容器体２は、有底の胴部４の上部から肩部６を介して口頸部７を起立している。胴部４の下端には底部９を嵌合させている。ポンプ12は、上記口頸部７外面に嵌合した装着筒の上端から垂下したシリンダ筒14と、このシリンダ内方から起立する、筒状ピストン付きのステムとで形成され、このステムの上部に、ノズル16付きの押下げヘッド18を付設している。上記シリンダ筒14の上部と口頸部との間は気密にシールされている。上記シリンダ筒14の底部には吸込み弁を形成する。仕切り部材20は、外周部に有する筒状ピストン22を、容器体の胴部４内面に上昇可能に嵌合させており、初期状態において底部９の上に載置させている。
【００２８】
本発明においては、上記口頸部７内面から内容物充填用の内袋30を垂設している。図示例では、口頸部７の内面下部から垂下した接続筒40の下半部に内袋30の頸部32を嵌着し、この頸部の下端に付設した肩形のフランジ状壁34から、有底の筒部36を垂下してなる。
【００２９】
上記接続筒40は、その上半部を口頸部７の下部内面に着脱自在に嵌合させるとともに、また接続筒40の下半部をやや上半部よりも小内径に形成して上記シリンダ筒14の下部外面に液密に嵌合させている。接続筒40の長さは、シリンダ筒14の底部下面が接続筒の下端と同じ高さとなるか、図示例の如くやや下方に位置するように設定する。
【００３０】
上記容器体２は、上記肩部６下面から、半径方向に配向された複数の縦板状の当接部10を、上記接続筒40の下端面とほぼ同じ高さまで垂下している。これら当接部の下端面は、水平な平坦面に形成している。
【００３１】
上記仕切り部材20は、ほぼ平坦な円盤状の支持板24の周縁から筒状ピストン22を垂下している。図示例では、支持板24の中央部をシリンダ筒14の下面に対応して浅く陥没させており、この陥没部の下面に容器体２の底壁から起立した支持筒で支持している。上記支持板24の上面には内袋30の底部38下面を載置している。
【００３２】
上記仕切り部材20の上面と、仕切り部材上方の胴部分から肩部６に亘る容器体部分の内面と、内袋30の外面とは、容器体の外部から気密に遮断された減圧空間Ｓを形成している。この仕切り部材20の上面に上記内袋30の下端面周縁部を接着する。
【００３３】
更に又、上記内袋30の色と、仕切り部材20及び当接部10の色とは、それぞれの境界Ｐ１、Ｐ２が明瞭に区別できるように設定する。また容器体２の胴部４はそれら境界が識別できるように透明に形成する。
【００３４】
又、上記接続筒40の上端部外面と、この上端部下方の口頸部７内面部分とには、相互に係合する係合凸条を周設し、これら両係合凸条を貫通して、内容物充填時のエア抜き用の通気溝8，42を相互に連通するように穿設している。又、接続筒40外面と口頸部７の内面との適所には、上記通気溝8，42の連通状態で嵌合し合うような位置合わせ手段を設けることが望ましい。
【００３５】
そして本願容器を組み立てるときには、容器体の胴部４の下部内に仕切り部材20及び底部９を順次嵌合するとともに、頸部32に接続筒40を接着した空の内袋30を胴部４内に挿入して、その接続筒40の上半部を口頸部７の下部内に嵌合させる。そして口頸部７を介して内容物を内袋30内へ充填するとともに、内袋30外面と胴部４内面との間の空気を上記通気溝8，42を介して排気させる。しかる後に接続筒40内へポンプ12のシリンダ筒14を挿入し、このシリンダ筒上端に付設した鍔部と口頸部７上端面との間にパッキングなどを挟んで気密にシールすれば良い。
【００３６】
上記構成において、押下げヘッド18を上下動させると、ポンプ12の作用で内袋30内の内容物が吸い上げられてノズル16から噴出されるとともに、内袋30が収縮して減圧空間Ｓ内部が負圧化するので、仕切り部材20が上昇していく。これにより、利用者は、仕切り部材20の上昇により内容物の残量を視認することができる。
【００３７】
仕切り部材20の上昇により、内袋30は、くの字に折れ曲がったりせずに、例えば蛇腹状に上下方向にほぼ均等に収縮する。この支持仕切り部材20が上限位置に近づくと、仕切り部材20の支持板24外周部上面と当接部10の下面とで、内袋30の外周部を圧搾し、この外周部からポンプ12下端の吸込み弁へ内容物を押し出すので、内容物を効率的に注出することができるとともに、内袋30が横線状に潰れる様子が容器側方から明瞭に見えるので、内容物を使い切ったことが明確に判る。
【図面の簡単な説明】
【００３８】
【図１】本発明の第1の実施形態に係る容器の縦断面図である。
【図２】図１容器の使用完了の状態を示すものである。
【符号の説明】
【００３９】
２…容器体  ４…胴部  ６…肩部  ７…口頸部 ８…第１通気溝９…底部
10…当接部  12…ポンプ  14…シリンダ筒    16…ノズル
18…押下げヘッド  20…仕切り部材  
22…筒状ピストン 24…支持板   30…内袋  32…頸部  34…フランジ状壁
36…筒部  38…底部  40…接続筒  42…第２通気溝  Ｓ…減圧空間
【図１】
0004807731.tif 000002
【図２】
0004807731.tif 000003